(57)【特許請求の範囲】
【請求項１】
カメラ本体を装着可能で、少なくとも外部機器との通信手段を備えたクレードル本体と、
該クレードル本体に配設され、該クレードル本体に前記カメラ本体が装着され、前記クレードル本体と前記カメラ本体との双方の端子が互いに導通状態になったことを検出した場合に、脚部駆動装置を作動し、脚部を使用位置に移動することで、所定の位置に前記カメラ本体の光軸を自動的に移動させる光軸移動手段と、
を有することを特徴とするカメラ用クレードル。
【請求項２】
カメラ本体を装着可能で、少なくとも外部機器との通信手段を備えたクレードル本体と、
該クレードル本体に配設され、該クレードル本体に装着したカメラ本体が前記外部機器との接続モードに設定された場合に、この接続モードを制御装置により検出することで、脚部駆動装置を作動し、脚部を使用位置に移動することで、所定の位置に前記カメラ本体の光軸を自動的に移動させる光軸移動手段と、
を有することを特徴とするカメラ用クレードル。
【発明の詳細な説明】
【０００１】
【発明の属する技術分野】
本発明はカメラ用クレードルに係り、特に、カメラ本体を装着し外部機器との通信を行うカメラ用クレードルに関する。
【０００２】
【従来の技術】
従来、デジタルカメラでは、カメラ本体をクレードルに装着することで、クレードルを介してカメラ本体と、パソコン等の外部機器との接続が容易にできる機種がある。また、カメラ本体のクレードルへの装着性を考慮して、クレードルに対してカメラ本体を装着する場合には、クレードルにおけるカメラ保持部が水平で、カメラ本体をクレードルの真上方向から装着するようになっている。
【０００３】
【発明が解決しようとする課題】
しかしながら、クレードルを介してカメラ本体とパソコン等の外部機器とを接続して、カメラ本体を画像入力用カメラとして使用する場合には、必要に応じてカメラ本体の光軸を上下左右に振って所定の角度に移動することが望まれているが、従来のクレードルには、装着されたカメラ本体の光軸を上下左右に振って所定の角度に移動する機能は無かった。
【０００４】
本発明は上記事実を考慮し、装着したカメラ本体の光軸を移動できるカメラ用クレードルを提供することを目的とする。
【０００５】
【課題を解決するための手段】
上記目的を達成するため、請求項１に記載の発明のカメラ用クレードルでは、
カメラ本体を装着可能で、少なくとも外部機器との通信手段を備えたクレードル本体と、
該クレードル本体に配設され、該クレードル本体にカメラ本体が装着され、前記クレードル本体と前記カメラ本体との双方の端子が互いに導通状態になったことを検出した場合に、脚部駆動装置を作動し、脚部を使用位置に移動することで、所定の位置に前記カメラ本体の光軸を自動的に移動させる光軸移動手段と、
を有することを特徴とする。
【０００８】
従って、クレードル本体にカメラ本体が装着され、光軸移動手段がクレードル本体とカメラ本体との双方の端子が互いに導通状態になったことを検出した場合に、光軸移動手段が脚部駆動装置を作動し、脚部を使用位置に移動することで、クレードル本体に装着されたカメラ本体の光軸が自動的に所定の位置に移動する。この結果、カメラ本体を画像入力用カメラとして使用する場合には、自動的にカメラ本体の光軸を所定の角度に移動することができる。
【０００９】
また、請求項２に記載の発明のカメラ用クレードルでは、カメラ本体を装着可能で、少なくとも外部機器との通信手段を備えたクレードル本体と、
該クレードル本体に配設され、該クレードル本体に装着したカメラ本体が前記外部機器との接続モードに設定された場合に、この接続モードを制御装置により検出することで、脚部駆動装置を作動し、脚部を使用位置に移動することで、所定の位置に前記カメラ本体の光軸を自動的に移動させる光軸移動手段と、
を有することを特徴とする。
【００１０】
従って、クレードル本体に装着されたカメラ本体が、外部機器との接続モードに設定された場合に、光軸移動手段はこの接続モードを制御装置により検出することで、脚部駆動装置を作動し、脚部を使用位置に移動することで、クレードル本体に装着されたカメラ本体の光軸が所定の位置に自動的に移動する。この結果、カメラ本体を画像入力用カメラとして使用する場合には、自動的にカメラ本体の光軸を所定の角度に移動することができる。
【００１３】
【発明の実施の形態】
本発明に係るカメラ用クレードルの第１実施形態を図１〜図３に従って説明する。
【００１４】
図１に示される如く、本実施形態のクレードル１０は、クレードル本体１２と、クレードル本体１２に配設された光軸移動手段１４とで構成されている。
【００１５】
図２に示される如く、クレードル本体１２の保持部１６には、デジタルカメラ等のカメラ本体１８が装着可能となっている。なお、カメラ本体１８における下面には、クレードル本体１２と接続するための、充電端子と、外部機器接続端子としてのＵＳＢ端子とが一体になった複合端子（図示省略）が形成されている。また、カメラ本体１８は、クレードル本体１２の保持部１６に上方から下方（図３の矢印Ａ方向）へ向けて挿入可能となっている。
【００１６】
なお、カメラ本体１８における側面１８Ａの下部には、図示を省略した充電端子と外部機器接続端子としてのＵＳＢ端子とがそれぞれが形成されており、これらの充電端子とＵＳＢ端子は、カメラ本体１８をクレードル本体１２に装着しない場合に使用する。
【００１７】
クレードル本体１２の保持部１６の外周部には、上方に向けて壁部２０が形成されている。なお、壁部２０の内周形状は、カメラ本体１８における下部の外周形状と略一致しており、カメラ本体１８を、クレードル本体１２の保持部１６に挿入した状態では、カメラ本体１８における下面が、常に、保持部１６における底部の決められた位置に当接するようになっている。
【００１８】
図１に示される如く、クレードル本体１２における後面１２Ａの下部には、図示を省略した充電端子と外部機器接続端子としてのＵＳＢ端子とがそれぞれが形成されており、これらの端子には、充電コード２１とＵＳＢコード２２とが接続されている。
【００１９】
また、クレードル本体１２の下面１２Ｂにおける前部側には浅い凹部３０が形成されており、この凹部３０内には、光軸移動手段１４の一部を構成する折り畳み式の脚部３２が格納可能とされている。脚部３２は、凹部３０における左右の側壁の前部にそれぞれ軸３４によって軸支されており、図１の矢印Ａ方向及び矢印Ｂ方向へ回転可能になっている。従って、脚部３２は、図１に実線で示す使用位置から矢印Ｂ方向へ回転させることで、図１に二点鎖線で示す格納位置へ移動し、格納位置から矢印Ａ方向へ回転させることで使用位置へ移動するようになっている。
【００２０】
なお、脚部３２を使用位置にした場合には、図１に示される如く、クレードル本体１２に装着されたカメラ本体１８におけるレンズ４０の光軸Ｌを、脚部３２が格納位置にある場合の光軸Ｌ１に比べ、上方向へ向けることができるようになっている。
【００２１】
クレードル本体１２の内部には、光軸移動手段１４の一部を構成する脚部駆動装置４２が内臓されている。この脚部駆動装置４２は、モータ等の駆動手段４２Ａと、ギア等の駆動伝達手段４２Ｂ、４２Ｃとからなり、駆動手段４２Ａの作動を駆動伝達手段４２Ｂ、４２Ｃを介して脚部３２の軸３４へ伝達することで、脚部３２を、図１の矢印Ａ方向及び矢印Ｂ方向へ回転するようになっている。
【００２２】
また、クレードル本体１２の内部には、光軸移動手段１４の一部を構成する制御装置４８が配設されており、クレードル本体１２の保持部１６にカメラ本体１８が装着され、双方の端子が互いに導通状態になったことを検出した場合には、脚部駆動装置４２を作動し、脚部３２を使用位置に移動すると共に、クレードル本体１２の保持部１６からカメラ本体１８が外され、双方の端子が互いに導通状態で無くなったことを検出した場合には、脚部駆動装置４２を作動し、脚部３２を格納位置に戻すようになっている。
【００２３】
次に、本実施形態の作用を説明する。
【００２４】
本実施形態では、クレードル本体１２の内部に配設された制御装置４８により、クレードル本体１２の保持部１６にカメラ本体１８が装着され、双方の端子が互いに導通状態になったことを検出した場合には、制御装置４８により脚部駆動装置４２が作動し、脚部３２を使用位置に移動する。即ち、脚部駆動装置４２の駆動手段４２Ａの作動が駆動伝達手段４２Ｂ、４２Ｃを介して脚部３２の軸３４へ伝達され、脚部３２が、図１に二点鎖線で示す格納位置から、図１の矢印Ａ方向へ回転し図１に実線で示す使用位置になる。
【００２５】
この結果、クレードル１０及びカメラ本体１８は、図３に示す水平位置から、図２に示す傾斜位置へ移動する。このため、図１に示される如く、クレードル本体１２に装着されたカメラ本体１８の光軸Ｌを、自動的に、脚部３２が格納位置にある場合の光軸Ｌ１に比べ、上方向へ向けることができるので、カメラ本体１８を画像入力用カメラとして使用する場合には、カメラ本体１８の光軸Ｌを所定の角度に自動的に移動することができる。
【００２６】
また、本実施形態では、クレードル本体１２にカメラ本体１８を装着する際には、脚部３２が、図１に二点鎖線で示す格納位置にあり、図３に示される如く、クレードル本体１２の保持部１６が真上を向いている。このため、カメラ本体１８は、クレードル本体１２の保持部１６に上方から下方（図３の矢印Ａ方向）へ向けて挿入可能であり、クレードル本体１２へのカメラ本体１８の装着性が良い。
【００２７】
なお、本実施形態では、クレードル本体１２の内部に配設された制御装置４８により、クレードル本体１２の保持部１６にカメラ本体１８が装着され、双方の端子が互いに導通状態になったことを検出した場合に、制御装置４８により脚部駆動装置４２が作動し、脚部３２を使用位置に移動したが、これに代えて、クレードル本体１２の内部に配設された制御装置４８により、クレードル本体１２の保持部１６にカメラ本体１８が装着され、且つ、カメラ本体１８が外部機器との接続モードに設定された場合に、この接続モードを制御装置４８により検出することで、脚部駆動装置４２を作動し、脚部３２を使用位置に移動する構成としても良い。
【００２８】
また、赤外線等を使用したリモートコントロールにより、駆動手段４２Ａの作動をコントロールし、図１に示す脚部３２の回転角度αを変えることができる構成とし、光軸Ｌの角度θを調整可能としても良い。
【００４４】
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、上記各実施形態では、クレードル本体１２に装着されたカメラ本体１８におけるレンズ４０の光軸Ｌを上下方向へ振る構成としたが、これに加えて、クレードル本体１２に装着されたカメラ本体１８におけるレンズ４０の光軸Ｌを左右方向へ振る構成としても良い。
【００４５】
【発明の効果】
本発明は、上記構成としたので、請求項１に記載の発明では、装着したカメラ本体の光軸を自動的に移動できるという優れた効果を有する。
【００４７】
また、請求項２に記載の発明では、装着したカメラ本体の光軸を自動的に移動できるという優れた効果を有する。
【図面の簡単な説明】
【図１】  本発明の一実施形態に係るカメラ用クレードルの脚部使用状態を示す一部を断面とした側面図である。
【図２】  本発明の一実施形態に係るカメラ用クレードルの脚部使用状態を示す斜視図である。
【図３】  本発明の一実施形態に係るカメラ用クレードルの脚部格納状態を示す斜視図である。
【符号の説明】
１０    クレードル
１２    クレードル本体
１４    光軸移動手段
１８    カメラ本体
３２    脚部（光軸移動手段）
４０    カメラ本体の レンズ
４２    脚部駆動装置（光軸移動手段）
４８    制御装置（光軸移動手段）
【図１】
0003648193.tif 000002
【図２】
0003648193.tif 000003
【図３】
0003648193.tif 000004